(57)【要約】【課題】低いコストで、遠くからでも的確に温度の検知を行うことができる接続スリーブの温度検知装置を提供する。【解決手段】接続スリーブの温度検知装置において、接続スリーブ５の下部に固定されるろう６，７と、このろう６，７に一端が固定され、もう一端が固定部に固定される表示ワイヤ８，９とを具備する。【選択図】図１
2007187503.tif 000002
【特許請求の範囲】
【請求項１】
（ａ）接続スリーブの下部に固定されるろうと、
（ｂ）該ろうに一端が固定され、もう一端が固定部に固定される表示ワイヤとを具備することを特徴とする接続スリーブの温度検知装置。
【請求項２】
請求項１記載の接続スリーブの温度検知装置において、前記ろうとして、それぞれ溶融温度の異なる複数個のろうを配置することを特徴とする接続スリーブの温度検知装置。
【請求項３】
請求項１又は２記載の接続スリーブの温度検知装置において、ろうが溶融すると該ろうに一端が固定された前記表示ワイヤが前記ろうとともに前記接続スリーブから離脱することを特徴とする接続スリーブの温度検知装置。
【請求項４】
請求項１、２又は３記載の接続スリーブの温度検知装置において、前記ろうが着色されていることを特徴とする接続スリーブの温度検知装置。
【発明の詳細な説明】
【技術分野】
【０００１】
本発明は、電気鉄道の給電線などの接続スリーブの温度検知装置に関するものである。
【背景技術】
【０００２】
従来、一般的には、赤外線温度計によって電気鉄道の給電線などの接続スリーブのその温度検知を行うようしている。
【０００３】
また、発熱検知部に所定温度で溶融するワックス（ろう）を配設し、発熱検知部の温度が所定温度になったときワックスが溶融し、発熱検知部からその周辺付近へ流出し、発熱検知部またはワックス流出周辺付近の地の色と溶融流出したワックスの色との違いを識別することにより発熱検知を可能にするようにしたものが提案されている（下記特許文献１参照）。
【特許文献１】特開平８−６２０５７号公報
【発明の開示】
【発明が解決しようとする課題】
【０００４】
しかしながら、かかる赤外線温度計による温度検知では、容易に温度検知を行うことができない。特に、遠方からの的確な温度検知は困難である。また、上記したワックス（ろう）による発熱検知は低廉であるものの、ワックス流出周辺付近の地の色と溶融流出したワックスの色との違いを識別するだけでは、精確な発熱検知は困難である。さらに、高所に接続部がある場合が多いため、離れたところでも的確な発熱検知が望まれていた。
【０００５】
本発明は、上記状況に鑑みて、低いコストで、遠くからでも的確に温度の検知を行うことができる接続スリーブの温度検知装置を提供することを目的とする。
【課題を解決するための手段】
【０００６】
本発明は、上記目的を達成するために、
〔１〕接続スリーブの温度検知装置において、接続スリーブの下部に固定されるろうと、このろうに一端が固定され、もう一端が固定部に固定される表示ワイヤとを具備することを特徴とする。
【０００７】
〔２〕上記〔１〕記載の接続スリーブの温度検知装置において、前記ろうとして、それぞれ溶融温度の異なる複数個のろうを配置することを特徴とする。
【０００８】
〔３〕上記〔１〕又は〔２〕記載の接続スリーブの温度検知装置において、ろうが溶融するとこのろうに一端が固定された前記表示ワイヤが前記ろうとともに前記接続スリーブから離脱することを特徴とする。
【０００９】
〔４〕上記〔１〕、〔２〕又は〔３〕記載の接続スリーブの温度検知装置において、前記ろうが着色されていることを特徴とする。
【発明の効果】
【００１０】
本発明によれば、次のような効果を奏することができる。
【００１１】
（１）低いコストで、遠くからでも的確に温度の検知を行うことができる。
【００１２】
（２）ろうの設定温度を異ならせて複数個配置することにより、より的確に加熱温度を検知することができる。
【００１３】
（３）設定された温度においてろうが溶融した際に、ろうが付着したまま表示ワイヤが接続スリーブより離脱するため、明確に接続スリーブの加熱温度を検知することができる。
【００１４】
（４）それぞれのろうに異なる着色を施すことにより接続スリーブの加熱状態の表示をより正確に行うことができる。
【発明を実施するための最良の形態】
【００１５】
本発明の接続スリーブの温度検知装置は、接続スリーブの下部に固定されるろうと、このろうに一端が固定され、もう一端が固定部に固定される表示ワイヤとを具備する。
【実施例】
【００１６】
以下、本発明の実施の形態について詳細に説明する。
【００１７】
図１は本発明の実施例を示す接続スリーブの温度検知装置を示す模式図である。
【００１８】
この図において、１は第１の給電線、２はその第１の給電線１の端部に固着された接続部材、３はその接続部材２に接続された第２の給電線、４は第３の給電線、５は第２の給電線３と第３の給電線４とが接続される接続スリーブ、６，７はその接続スリーブ５の下部に固定されるろう、８，９はろう６，７のそれぞれに一端が接続され、もう一端は固定部１０，１１に固定される表示ワイヤである。
【００１９】
そこで、電気接続部が加熱すると、接続スリーブ５の温度が上昇する。すると、ろう６，７は所定温度（ここでは、８０℃と９０℃に設定）で融けるように設定されているため、例えば、温度が８０℃になるとろう６が融けて、表示ワイヤ８の一端がろう６とともに接続スリーブ５から離脱してぶら下がることになる。
【００２０】
これを巡視をする者は、表示ワイヤ８の一端が８０℃設定用ろう６とともに垂下しているので、これを容易に発見して、電気接続部が加熱していることを検知することができる。
【００２１】
このとき、８０℃で溶融するろう６と９０℃で溶融するろう７にそれぞれ異なる色彩を付与しておけば、表示ワイヤ８の一端には８０℃に対応した色彩のろう６が付着していることにより、より明解に電気接続部の加熱及びその加熱温度を検知することができる。
【００２２】
図２は本発明の接続スリーブの温度検知装置の試験状況を示す図、図３はその試験において８０℃で表示ワイヤが接続スリーブから離脱した状態を示す図、図４は９０℃検知用ろうを設けた場合の温度分布を示す図（赤外線による温度測定）、図５は８０℃検出用ろうと９０℃検知用のろうを設けた場合の電流と各所の温度分布を示す図（熱電対による温度測定）である。
【００２３】
図２に示すように、接続スリーブ２１の下部には８０℃検知用ろう２２と９０℃検知用ろう２３とが固定されている。さらに、８０℃検知用ろう２２には第１の表示ワイヤ２４が固定されており、その他端は固定部（図示なし）に固定されている。
【００２４】
また、９０℃検知用ろう２３には第２の表示ワイヤ２６が固定されており、その他端は固定部（図示なし）に固定されている。
【００２５】
そこで、図３に示すように、接続スリーブ２１の下部の８０℃検知用ろう２２は、８０℃検知用ろう２３の温度が８０℃になると溶けるので、第１の表示ワイヤ２４の一端は８０℃検知用ろう２２とともに、接続スリーブ２１から離脱する。
【００２６】
すると、第１の表示ワイヤ２４の一端には溶けた８０℃検知用ろう２２が付着したままとなり、それが表示として機能する。この８０℃検知用ろう２２を例えば黄色とするとより識別しやすくなる。
【００２７】
また、９０℃検知用ろう２３はその温度が９０℃になると溶けるので、第２の表示ワイヤ２６の一端は９０℃検知用ろう２３とともに、接続スリーブ２１から離脱する。
【００２８】
すると、第２の表示ワイヤ２６の一端には溶けた９０℃検知用ろう２３が付着したままとなり、それが表示として機能する。この９０℃検知用ろう２３を例えば赤色とするとより識別しやすくなる。
【００２９】
ワックス（ろう）はパラフィンが主成分で石油中に存在する常温で固体の炭化水素であり、蒸留時各温度で生成させることができる。製造は原料油に溶剤を加えて結晶化させ、ろ過することにより得られる。融点は分子量によって決まる。つまり、融点はその結晶性によって異なる。なお、ここで用いるワックス（ろう）は、粘度が高いため、表示ワイヤから離れることはない。
【００３０】
９０℃検知用ろうのみの試験を行ったところ、図４に示すように、８０℃を越えると溶ける前兆が見られ９０℃手前で９０℃検知用ろうが溶けた。
【００３１】
また、図５に８０℃検知用と９０℃検知用の二つのろうを用いた場合の電流と各所の温度分布を示す図（熱電対による温度測定）を示した。ａは８０℃検知用ろうの温度、ｂは９０℃検知用ろうの温度、ｃは接続スリーブの中間部分の温度、ｄは外気温度、ｅは通電電流を示している。
【００３２】
この図から明らかなように、接続スリーブの加熱状態に応じて作動できることが分かる。
【００３３】
なお、本発明は上記実施例に限定されるものではなく、本発明の趣旨に基づき種々の変形が可能であり、これらを本発明の範囲から排除するものではない。
【産業上の利用可能性】
【００３４】
本発明の接続スリーブの温度検知装置は、安価で的確な電気接続部の温度検知を行う電気鉄道の給電線の接続部の温度検知装置として利用可能である。
【図面の簡単な説明】
【００３５】
【図１】本発明の実施例を示す接続スリーブの温度検知装置を示す模式図である。
【図２】本発明の接続スリーブの温度検知装置の試験状況を示す図である。
【図３】図２の試験において８０℃で表示ワイヤが接続スリーブから離脱した状態を示す図である。
【図４】本発明の接続スリーブの温度検知装置の９０℃検知用ろうの温度分布を示す図である。
【図５】本発明の接続スリーブの温度検知装置の８０℃検知用ろうと９０℃検知用ろうを設けた場合の電流と各所の温度分布を示す図（熱電対による温度測定）である。
【符号の説明】
【００３６】
１    第１の給電線
２    第１の給電線の端部に固着された接続部材
３    接続部材に接続された第２の給電線
４    第３の給電線
５，２１    接続スリーブ
６，７    接続スリーブの下部に固定されるろう
８，９    表示ワイヤ
１０，１１    固定部
２２    ８０℃検知用ろう
２３    ９０℃検知用ろう
２４    第１の表示ワイヤ
２６    第２の表示ワイヤ
【図１】
2007187503.tif 000003
【図４】
2007187503.tif 000004
【図５】
2007187503.tif 000005
【図２】
2007187503.tif 000006
【図３】
2007187503.tif 000007